(57)【特許請求の範囲】
【請求項１】
電気的に接続された複数のラミネート電池と、
前記複数のラミネート電池が載せられるトレイであって、前記複数のラミネート電池が載せられた別のトレイに積層可能に構成されたトレイと、を備え、
前記トレイには、前記複数のラミネート電池のそれぞれの外周を包囲する隔壁が設けられ、
前記複数のラミネート電池のそれぞれの外周部には、前記複数のラミネート電池のそれぞれの内部で生じた圧力を外部に開放する圧力開放部が設けられ、
前記複数のラミネート電池のそれぞれは、前記圧力開放部が前記隔壁に隣接して配置される、電池ユニット。
【請求項２】
前記トレイが前記別のトレイに積層されたとき、前記トレイの積層方向とは異なる方向への前記トレイの移動を規制する規制部を有する、請求項１に記載の電池ユニット。
【請求項３】
前記トレイが前記別のトレイに積層されたとき、前記トレイの積層方向に前記複数のラミネート電池の正極と負極とが互いに隣接する、請求項１または２に記載の電池ユニット。
【請求項４】
前記複数のラミネート電池が直列接続されており、
前記直列接続の両端に接続された正極端子および負極端子を有し、前記トレイが前記別のトレイに積層されたときに、前記正極端子と前記負極端子とが前記トレイの積層方向に互いに隣接する、請求項１から３のいずれか１項に記載の電池ユニット。
【請求項５】
前記正極端子と前記負極端子とのいずれか一方に隣接して設けられ、前記トレイが前記別のトレイに積層されたときに、前記積層方向に互いに隣接している前記正極端子と前記負極端子との間を隔てる絶縁部が設けられている、請求項４に記載の電池ユニット。
【請求項６】
請求項１から５のいずれか１項に記載の複数の電池ユニットと、
積層された複数の前記トレイの積層方向に互いに隣接する前記電池ユニットを電気的に接続する接続部材と、を備える電源装置。
【請求項７】
請求項４または５に記載の複数の電池ユニットと、前記積層方向に互いに隣接する前記正極端子と前記負極端子とを接続することにより、前記複数の電池ユニットを前記積層方向に直列接続する接続部材と、を備える電源装置。
【請求項８】
前記トレイに積層可能に構成され、前記複数の電池ユニットによる出力電力を制御する制御基板を備える、請求項６または７に記載の電源装置。
【発明の詳細な説明】
【技術分野】
【０００１】
本発明は、電気的に接続された複数のラミネート電池を備える電池ユニットおよびこの電池ユニットを備える電源装置に関する。
【背景技術】
【０００２】
近年、環境問題から、戸建住宅等の家庭用途や、輸送機器、建設機器等の産業用途に用いることが可能な、風力発電、太陽光発電等から得られるクリーンエネルギが注目されている。しかし、クリーンエネルギは状況に応じた出力の変動が大きいという問題を有している。例えば、太陽光発電によるエネルギは、太陽が昇っている日中には得られるが、太陽が沈んだ後の夜間には得られない。
【０００３】
クリーンエネルギの出力を安定化するために、クリーンエネルギを一時的に電池に蓄える技術が用いられる。例えば、電池に蓄えられた太陽光エネルギは、太陽が沈んだ後の夜間にも利用可能となる。このようなクリーンエネルギを蓄えるための電池としては、一般的に鉛蓄電池が使用される。しかし、鉛蓄電池は一般的に大型であり、エネルギ密度が低いという欠点がある。
【０００４】
この鉛蓄電池に代わる電池としてはＮＡＳ電池（ナトリウム硫黄電池：ｓｏｄｉｕｍ−ｓｕｌｆｕｒ  ｂａｔｔｅｒｙ）がある。ＮＡＳ電池は鉛蓄電池よりもコンパクトでエネルギ密度が高い。しかし、ＮＡＳ電池は、作動温度域が３００℃程度と高く、作動させるために加熱用のヒータ等を含む大規模な付帯設備が必要である。また、ＮＡＳ電池は、適正に作動するために作動温度域まで加熱される必要があるため、作動するのに時間がかかる。
【０００５】
近年では、ＮＡＳ電池に代わる電池としてリチウムイオン二次電池が注目されている。リチウムイオン二次電池は、常温で作動可能であり、エネルギ密度が高い。また、リチウムイオン二次電池は、インピーダンスが低いため応答性に優れている。
【０００６】
リチウムイオン二次電池としては、缶状の容器に電池要素が封入された円筒型や平板状の角型の電池、可撓性のフィルムの内部に電池要素が封入されているラミネート電池等がある。ラミネート電池は、一般的に平板状であり、正極および負極が可撓性フィルムの外部に引き出されている。
【０００７】
特許文献１にはラミネート電池が適用された電源装置が記載されている。特許文献１に記載された電源装置では、複数のラミネート電池が水平方向および鉛直方向に並べられている。この電源装置では、各ラミネート電池がケーシングに収容されている。
【先行技術文献】
【特許文献】
【０００８】
【特許文献１】特許第３９７１６８４号
【発明の概要】
【発明が解決しようとする課題】
【０００９】
ところで、特許文献１に記載の電源装置では、複数のラミネート電池のうちの１つのラミネート電池が機能しなくなった場合、不具合を生じることがある。特に、複数のラミネート電池が全て直列接続されている場合には、電源装置自体が使用不能となる。このような場合などに、電源装置のメンテナンスを行う必要がある。
【００１０】
しかし、特許文献１に記載の電源装置では、ケーシングが金属で形成されているので、各ラミネート電池をケーシングから絶縁するための部品点数が多い。そのため、ケーシングに対してラミネート電池の着脱作業等が煩雑になり、メンテナンスに多くの手間がかかる。
【００１１】
そこで、本発明の目的は、ラミネート電池を容易にメンテナンスが可能な電池ユニットおよびこれを備える電源装置を提供することにある。
【課題を解決するための手段】
【００１２】
上記目的を達成するため、本発明に係る電池ユニットは、電気的に接続された複数のラミネート電池と、複数のラミネート電池が載せられるトレイであって複数のラミネート電池が載せられた別のトレイに積層可能に構成されたトレイと、を備える。トレイには、複数のラミネート電池のそれぞれの外周を包囲する隔壁が設けられる。複数のラミネート電池のそれぞれの外周部には、複数のラミネート電池のそれぞれの内部で生じた圧力を外部に開放する圧力開放部が設けられる。複数のラミネート電池のそれぞれは、圧力開放部が隔壁に隣接して配置される。
【発明の効果】
【００１３】
本発明によれば、トレイに載せられたラミネート電池のメンテナンスを容易に行うことができる。
【図面の簡単な説明】
【００１４】
【図１Ａ】第１の実施形態に係る電池ユニットを示す斜視図である。
【図１Ｂ】図１Ａに示した電池ユニットを示す斜視図である。
【図２Ａ】図１Ａに示したトレイを示す斜視図である。
【図２Ｂ】図１Ａに示したトレイを示す斜視図である。
【図３Ａ】図１Ａに示したトレイを示す上面図である。
【図３Ｂ】図１Ａに示したトレイを示す下面図である。
【図４Ａ】図１に示した電池ユニットの積層状態を示す斜視図である。
【図４Ｂ】図４ＡのＡ−Ａ’面に沿って示す断面図である。
【図５Ａ】第１の実施形態に係る電源装置を示す斜視図である。
【図５Ｂ】図５ＡのＢ−Ｂ’面に沿って示す断面図である。
【図６】第１の実施形態に係る電源装置を示す斜視図である。
【図７】図５Ａに示した電源装置のイオン伝導パスを示した概略図である。
【図８Ａ】図７に示した電源装置の変形例としてラミネート電池の接続パスを示した概略図である。
【図８Ｂ】図７に示した電源装置の変形例としてラミネート電池の接続パスを示した概略図である。
【図９】第２の実施形態に係る電源装置を示す側断面図である。
【図１０】図９に示した電源装置の比較例を示す側断面図である。
【図１１】第３の実施形態に係る電源装置を示す斜視図である。
【図１２】第４の実施形態に係る電池ユニットを示す平面図である。
【発明を実施するための形態】
【００１５】
以下、本発明に係る実施形態について図面を参照して説明する。
【００１６】
（第１の実施形態）
図１Ａおよび図１Ｂは、第１の実施形態に係る電池ユニット１の上方から示した斜視図である。図１Ｂは電池ユニット１を図１Ａとは水平方向の反対側から示している。
【００１７】
本実施形態に係る電池ユニット１は、平板状の３つのラミネート電池２ａ，２ｂ，２ｃと、ラミネート電池２ａ，２ｂ，２ｃが取り付けられたトレイ３と、を有している。
【００１８】
本実施形態では、ラミネート電池２ａ，２ｂ，２ｃとして、リチウムイオン二次電池を用いている。しかし、ラミネート電池はリチウムイオン二次電池に限らず、ニッケル水素電池等の他のラミネート電池であってもよい。
【００１９】
３つのラミネート電池２ａ，２ｂ，２ｃはトレイ３にその正極と負極とが互いに反対側に向くように並べて配置されている。すなわち、ラミネート電池１ａ，１ｃの正極および負極は同方向を向いており、ラミネート電池１ａとラミネート電池１ｃとの間に配置されたラミネート電池１ｂの正極および負極はラミネート電池１ａ，１ｃの正極および負極とは逆方向を向いている。
【００２０】
そして、ラミネート電池１ａの正極とラミネート電池１ｂの負極とがバスバー４ａで電気的に接続され、ラミネート電池２ｂの正極とラミネート電池２ｃの負極とがバスバー４ｂで電気的に接続されている。これにより、ラミネート電池２ａ，２ｂ，２ｃが直列接続されている。さらに、ラミネート１ａの負極にはバスバー４ｃが設けられており、ラミネート１ｃの正極にはバスバー４ｄが設けられている。すなわち、バスバー４ｃは電池ユニット１の正極端子であり、バスバー４ｄは電池ユニット１の負極端子である。
【００２１】
バスバー４ａ，４ｂ，４ｃ，４ｄは電気伝導率が比較的高く比較的安価である銅や銅系化合物で形成されている。しかし、バスバー４ａ，４ｂ，４ｃ，４ｄは高電気伝導率の素材で形成されていることが望ましく、例えば銀や銀系化合物で形成されていてもよい。また、バスバー４ａ，４ｂ，４ｃ，４ｄは、製造コストの低減を図るために安価な鉄などで形成されていてもよい。
【００２２】
バスバー４ａ，４ｂ，４ｃ，４ｄは、各ラミネート電池２ａ，２ｂ，２ｃの正極や負極を挟んでトレイ３にねじ止めされている。これにより、バスバー４ａ，４ｂ，４ｃ，４ｄは、それぞれ対応するラミネート電池２ａ，２ｂ，２ｃの正極や負極に電気的に接続されているとともに、トレイ３にラミネート電池２ａ，２ｂ，２ｃを機械的に固定している。
【００２３】
そのため、ラミネート電池２ａ，２ｂ，２ｃは、バスバー４ａ，４ｂ，４ｃ，４ｄを取り外すことによってトレイ３から取り外すことが可能であり、逆に、バスバー４ａ，４ｂ，４ｃ，４ｄによってトレイ３に取り付け可能である。このように、ラミネート電池２ａ，２ｂ，２ｃは、バスバー４ａ，４ｂ，４ｃ，４ｄによって非常に容易に着脱可能である。換言すると、本実施形態に係る電池ユニット１では、ラミネート電池２ａ，２ｂ，２ｃを着脱する際の部品点数が少ない。
【００２４】
図２Ａおよび図２Ｂは、トレイ３のみを上方から示した斜視図である。図２Ａおよび図２Ｂを参照してトレイ３について詳細に説明する。
【００２５】
トレイ３は、耐熱性および絶縁性を有する材料で形成される。本実施形態におけるトレイ３は、ポリカーボネート樹脂で形成されている。しかし、トレイ３を形成する材料としては、例えばポリプロピレンポリエチレン、ナイロン、ＰＥＴなどの絶縁性を有するものであればよい。
【００２６】
トレイ３には、ラミネート電池２ａが積載される積載部９ａと、ラミネート電池２ｂが積載される積載部９ｂと、ラミネート電池２ｃが積載される積載部９ｃと、が形成されている。積載部９ａ，９ｂ，９ｃは、ラミネート電池２ａ，２ｂ，２ｃがそれぞれ収容される凹状に形成されている。トレイ３の、積載部９ａ側の端部には上方に突出した２つの突起部５ａが形成され、積載部９ｃ側の端部には上方に突出した２つの突起部５ｂが形成されている。突起部５ａは、突起部５ｂに比べて広い間隔で形成されている。
【００２７】
トレイ３は、絶縁性を有するので、トレイ３の積載部９ａ，９ｂ，９ｃに積載されるラミネート電池２ａ，２ｂ，２ｃ間を絶縁する部品が不要になる。したがって、本実施形態に係る電池ユニット１では、部品点数を削減し、簡素な構成を実現できる。
【００２８】
図３Ａはトレイ３の上面図であり、図３Ｂはトレイ３の下面図である。図３Ｂに示すように、トレイ３の裏面には、突起部５ａに対応する穴部６ａと、突起部５ｂに対応する穴部６ａと、が形成されている。トレイ３は、２つの突起部５ａと２つの穴部６ａとが嵌合し、２つの突起部５ｂと２つの穴部６ｂとが嵌合するように、電池ユニット１の上面にこの電池ユニット１とは異なる別の電池ユニット１の裏面を重ね合わせることにより、正常な積層状態を形成することができる。
【００２９】
すなわち、トレイ３は、このトレイ３とは別のトレイ３に対して、上面および下面に直交する中心軸を中心に１８０°回転させられることにより、別のトレイ３に重ね合わせることが可能な構成となっている。
【００３０】
突起部５ａ，５ｂおよび穴部６ａ，６ｂが、トレイ３が互いに積層されたときに互いに嵌合して、トレイ３の積層方向とは異なる方向への移動を規制する規制部として機能する。そのため、多数のトレイ３が積層された場合にも、各トレイ３がずれたり積層されたトレイ３が崩れたりすることが防止される。
【００３１】
各トレイ３が積層されたとき、積層方向に互いに隣接するトレイ３は、積載部９ａ側の端部を互いに反対方向に向けている。すなわち、各トレイ３が積層されたとき、積層方向に互いに隣接するトレイ３は、積載部９ａと積載部９ｃとが積層方向に互いに隣接し、積載部９ｂが積層方向に連なっている。仮に、積層方向に互いに隣接するトレイ３が互いに同方向に積層された場合には、突起部５ａと穴部６ａが嵌合せず、正常な積層状態とはならない。
【００３２】
トレイ３は、ラミネート電池２ａ，２ｂ，２ｃがバスバー４ａ，４ｂ，４ｃ，４ｄバスバー４ａ，４ｂ，４ｃ，４ｄによってトレイ３に取り付けられた状態であっても互いに積層可能である。すなわち、電池ユニット１は互いに積層可能である。
【００３３】
図４Ａは互いに積層された本実施形態に係る７枚の電池ユニット１の斜視図であり、図４Ｂは図４ＡのＡ−Ａ’線に沿った断面図である。図４Ｂに示すように、電池ユニット１が互いに積層されると、ラミネート電池２ａとラミネート電池２ｃとがトレイ３の積層方向に交互に配列されている。
【００３４】
本実施形態の電池ユニット１は、上面および下面に直交する中心軸を中心に１８０°回転させたときに、正極であるバスバー４ｃと負極であるバスバー４ｄとが反転する。したがって、図４Ａに示すように、互いに隣接する電池ユニット１のバスバー４ｃとバスバー４ｄとは互いに隣接している。
【００３５】
次に、図１Ａ〜図３Ｂを参照すると、トレイ３には絶縁部７が形成されている。絶縁部７はトレイ３と同様の材料で形成されており、トレイ３の、バスバー４ｃが取り付けられる位置の下側に隣接している。一方、トレイ３の、バスバー４ｄが取り付けられる位置の下側には絶縁部７が形成されていない。
【００３６】
図４Ｂに示すように、バスバー４ｃとこのバスバー４ｃの下側に隣接するバスバー４ｄとの間には絶縁部７がある。絶縁性を有する絶縁部７は、バスバー４ｃとこのバスバー４ｃの下側に隣接するバスバー４ｄとが電気的に接続されることを防止する役割をする。一方、バスバー４ｃとこのバスバー４ｃの上側に隣接するバスバー４ｄとの間には絶縁部７は形成されていない。なお、図４Ａとは反対側から見た場合、換言すると、最上層の電池ユニット１のバスバー４ｄ側から見た場合にも、同様に、バスバー４ｄとこのバスバー４ｄの下側に隣接するバスバー４ｃとの間には絶縁部７があり、バスバー４ｄの上側に隣接するバスバー４ｃとの間には絶縁部７がない。
【００３７】
図５Ａは、本実施形態に係る７枚の電池ユニット１を互いに積層して形成された電源装置１０の斜視図であり、図５Ｂは図５Ａ中のＢ−Ｂ’線に沿った断面図である。電源装置１０は、図５Ａに示した各電池ユニット１が接続部材８によって電気的に接続されたものである。接続部材８は、バスバー４ｄとこのバスバー４ｄの下側に隣接するバスバー４ｃとにねじ止め等によって取り付けられている。これにより、バスバー４ｄとこのバスバー４ｄの下側に隣接するバスバー４ｃとを電気的に接続されるとともに機械的に接続される。
【００３８】
電源装置１０では、上述したように、互いに隣接する電池ユニット１の正極であるバスバー４ｃと負極であるバスバー４ｄとが隣接しているため、互いに隣接する電池ユニットを接続部材８によって簡単に接続することが可能である。
【００３９】
なお、本実施形態では、電池ユニット１が直列接続された３つのラミネート電池２ａ，２ｂ，２ｃを備えているが、電池ユニット１が備えるラミネート電池の個数は奇数であればよい。これは、電池ユニット１が備えるラミネート電池の個数が奇数であれば、上面および下面に直交する中心軸を中心に１８０°回転させたときに、正極であるバスバーと負極であるバスバーとが反転する構成となるからである。一方、電池ユニットが備えるラミネート電池の個数が偶数の場合には、上面および下面に直交する中心軸を中心に１８０°回転させられても、正極であるバスバーと負極であるバスバーとが反転する構成とはならない。
【００４０】
接続部材８は、バスバー４ａ，４ｂ，４ｃ，４ｄと同様に、電気伝導率が高く比較的安価である銅や銅系化合物で形成されている。しかし、接続部材８は電気伝導率が高い素材で形成されていることが望ましく、例えば銀や銀系化合物で形成されていてもよい。また、接続部材８は、製造コストの低減を図るために安価な鉄などで形成されていてもよい。
【００４１】
なお、絶縁部７は、トレイ３の、バスバー４ｄが取り付けられる位置の下側に隣接し手形成されていてもよい。この場合、トレイ３の、バスバー４ｃが取り付けられる位置の下側に絶縁部７が形成されず、接続部材８は、バスバー４ｃと該バスバー４ｃに下側に隣接するバスバー４ｄとにねじ止め等によって取り付けられる。
【００４２】
図５Ａに示すように、電源装置１０の鉛直方向に互いに隣接する７つの各電池ユニット１は、接続部材８によって電気的に接続されることで直列接続されている。すなわち、電源装置１０では、各電池ユニット１の３つのラミネート電池２ａ，２ｂ，２ｃが直列接続されているので、合計２１個のラミネート電池が直列接続されている。また、電源装置１０では、最下層の電池ユニット１のバスバー４ｄが正極端子となり、最上層の電池ユニット１のバスバー４ｃが負極端子となっている。
【００４３】
図５Ａに示した電源装置１０は、リチウムイオン電池を安全に作動させるために、複数の電池ユニット１による出力電力を制御し、過充電や過放電を防止する制御基板が設けられる必要がある。図６は制御基板１１が最上部に積載された電源装置１０の斜視図である。制御基板１１は、電池ユニット１と同様の外形を有し、電池ユニット１の上に積載されたときに、電池ユニット１の積層方向とは異なる方向に大きく突出することがないように形成されている。制御基板１１には電源装置１０の正極端子である最下層の電池ユニット１のバスバー４ｄと、電源装置１０の負極端子である最上層の電池ユニット１のバスバー４ｃと、が電気的に接続されている。制御基板１１には電気回路（不図示）等が設けられており、制御基板１１が電源装置１０から電力の安全な入出力を可能としている。
【００４４】
なお、電源装置１０では、互いに積層される電池ユニット１の個数を変更することによって、出力電圧を容易に変更することが可能である。すなわち、電源装置１０で、互いに積層される電池ユニット１の個数を増やした場合、電源装置１０の出力電圧が上昇し、互いに積層される電池ユニット１の個数を減らした場合、電源装置１０の出力電圧が低下する。
【００４５】
さらに、電池ユニット１のトレイ３を形成するポリカーボネート樹脂などの絶縁材料は比較的軽量であるので、多数の電池ユニット１を積層する場合にも、下層側の電池ユニット１のトレイ３にかかる荷重が小さく抑えられ、下層側の電池ユニット１が損傷を受けにくい。そのため、電源装置１０では、多数の電源ユニット１を積層することが可能である。
【００４６】
各電池ユニット１はバスバー４ｃ，４ｄからそれぞれ接続部材８を取り外すことによって上下にそれぞれ隣接する電池ユニットから取り外し可能となる。したがって、本実施形態に係る電源装置１０では、複数の電池ユニット１のうちの１つに不具合が生じた場合にも、その電池ユニット１を取り外して新しい電池ユニット１に容易に交換することが可能である。
【００４７】
また、上述したとおり、電池ユニット１に設けられた３つのラミネート電池２ａ，２ｂ，２ｃはそれぞれ着脱可能であるため、３つのラミネート電池２ａ，２ｂ，２ｃのうち不具合が生じた任意のラミネート電池２のみを交換することが可能である。したがって、電源装置１０では、複数の電池ユニット１のうちの１つに不具合が生じた場合に、新しい電池ユニット１を用意しなくても、電源装置１０から取り外した電池ユニット１のうち不具合が生じた任意のラミネート電池２のみを交換した後に再び電源装置１０の同じ位置に戻すことで修復可能である。
【００４８】
このように、本実施形態に係る電源装置は、任意の電池ユニット１のラミネート電池２を容易にメンテナンス可能である。
【００４９】
図７は、図６に示した電源装置１０のイオン伝導パスＰを示した概略図である。正極端子である、最下層の電池ユニット１のバスバー４ｄが、制御基板１１にリード線１２を介して接続され、負極端子である、最上層の電池ユニット１のバスバー４ｃが、直接制御基板１１に電気的に接続されている。
【００５０】
本実施形態の変形例として、バスバーおよび接続部材の形状や配置を変更することにより、図８Ａに示す電源装置１０ａのようにラミネート電池の接続パスＰを変更することが可能である。この場合にも、電源装置１０ａにおける全てのラミネート電池２ａ，２ｂ，２ｃが直列接続されており、図７に示した電源装置１０と同等の出力電圧を得ることができる。電源装置１０ａでも、最下層の電池ユニット１ａのバスバー４ｄが正極端子となり、最上層の電池ユニット１ａのバスバー４ｃが負極端子となる。
【００５１】
また、本実施形態の変形例として、トレイの構成を変更することにより、１つの電池ユニットのトレイに積載するラミネート電池の個数を適宜変更することが可能である。これにより、１つの電池ユニットの総容量を変更可能である。
【００５２】
図８Ｂに、１つの電池ユニットのトレイに積載するラミネート電池の個数を変更した電源装置１０ｂを示す。図８Ｂに示した電源装置１０ｂの各トレイ３ｂは、４つのラミネート電池２ａ，２ｂ，２ｃ，２ｄを備えている。電源装置１０ｂでは、最上層の電池ユニット１ｂのバスバー４ｄが正極端子となり、最上層の電池ユニット１ｂの接続部材バスバー４ｃが負極端子となる。そのため、図７および図８Ａに示した電源装置１０，１０ａのリード線１２が設けられなくても、正極端子および負極端子は、直接制御基板１１に電気的に接続されることが可能である。これにより、電源装置の内部抵抗の低下や、製造工程の削減および製造コストの低減が可能である。なお、図８Ｂには、各電池ユニット１ｂのラミネート電池の個数が４つである場合を示したが、ラミネート電池の個数は偶数であれば同様の効果が得られる。
【００５３】
なお、本実施形態に係る電源装置では、各電池ユニットの各ラミネート電池が全て直列接続されている。しかし、電源装置は、トレイの構成を変更し、それに合わせてバスバーや接続部材の構成を変更することにより、適宜、各ラミネート電池を全て並列に接続することや、ラミネート電池の一部を直列接続し、他のラミネート電池を並列接続することが可能であることは当然である。
【００５４】
また、本実施形態に係る電源装置ではラミネート電池を用いているが、平板状の電池であれば必ずしもラミネート電池に限定されないことはいうまでもない。
【００５５】
（第２の実施形態）
図９は第２の実施形態に係る電源装置２０の側断面図である。電源装置２０では、４つの電池ユニット１ｃが互いに積層されている。本実施形態に係る電源装置２０は、以下に説明する構成以外が第１の実施形態に係る電源装置１０と同様に構成されている。
【００５６】
本実施形態に係る電池ユニット１ｃのトレイ１３には、ラミネート電池２ａ，２ｂ，２ｃのそれぞれの外周を包囲する隔壁が設けられている。そして、電池ユニット１ｃが互いに積層され、トレイ１３とこのトレイ１３に上側に隣接するトレイ１３の下面とによって、ラミネート電池１ａ，１ｂ，１ｃをそれぞれ覆う個室が形成されている。最上層の電池ユニット１ｃのみトレイ１３の上には隣接するトレイ１３が無いが、最上層の電池ユニット１ｃ上にはトレイ１３と同様の材料で形成された蓋１４が設けられている。なお、蓋１４は、図６に示すような制御基板１１によって代用されることも可能である。
【００５７】
第１の実施形態で述べたように、トレイ１３は低熱伝導率の材料で形成されている。そのため、各ラミネート電池２ａ，２ｂ，２ｃが発する熱はトレイ１３から放出されにくい。
【００５８】
図９は本実施形態に係る電源装置２０の比較例の側断面図である。電源装置２０ａでは、４つの電池ユニット１ｄが互いに積層されている。電源装置２０ａは、図８に示した電源装置２０のようにラミネート電池２ａ，２ｂ，２ｃがトレイによって覆われていない。そのため、各ラミネート電池２ａ，２ｂ，２ｃが発する熱は周囲に拡散しやすい。したがって、電源装置２０ａでは、周囲のラミネート電池から熱が加わりやすい一点鎖線で囲んだ中央領域が高温となってしまう。そのため、電源装置２０ａでは、中央領域にあるラミネート電池と、外周部にあるラミネート電池の温度環境が不均一となり、電源装置として不具合が生じる可能性が高い。
【００５９】
一方、図１０に示した電源装置２０では、各ラミネート電池２ａ，２ｂ，２ｃが発する熱がトレイ１３の各個室内に留まりやすいので、トレイ１３のいずれの個室もほぼ一定の温度となる。換言すると、各ラミネート電池２ａ，２ｂ，２ｃ間で周囲温度の分布が生じにくい。そのため、本実施形態に係る電源装置２０では各ラミネート電池２ａ，２ｂ，２ｃが不具合を起こしにくい。
【００６０】
また、１つのラミネート電池が熱暴走に至った場合、発生した熱により隣接するラミネート電池も次々に熱暴走に至るいわゆる誘爆の現象が発生するおそれがある。一方、図１０に示した電源装置２０では、各個室の外に熱が伝わりにくいので、１つのラミネート電池が熱暴走に至った場合であっても誘爆に至りにくい。
【００６１】
（第３の実施形態）
図１１は第３の実施形態に係る電源装置３０の斜視図である。電源装置３０では、複数の電池ユニット１ｅが互いに積層されている。本実施形態に係る電源装置３０は、以下に説明する構成以外が第１の実施形態に係る電源装置１０と同様に構成されている。図面の便宜上、各電池ユニット１ｅのトレイ２３を破線で示す。
【００６２】
本実施形態に係る電源装置３０の各電池ユニット１ｅでは、ラミネート電池２２ａ，２２ｂ，２２ｃの各正極および負極が同方向に引き出されている。電源装置３０は、ラミネート電池２２ａの負極とラミネート電池２２ｂの正極とがバスバー２４ａで電気的に接続され、ラミネート電池２２ｂの負極とラミネート電池２２ｃの正極とがバスバー２４ｂで電気的に接続されている。これにより、ラミネート電池２２ａ，２２ｂ，２２ｃは直列接続されている。さらに、ラミネート電池２２ｃの負極が、この電池ユニット１ｅに下側に隣接する電池ユニット１ｅのラミネート電池２２ａの正極と電気的に接続されている。
【００６３】
このように、電源装置３０では、各電池ユニット１ｅのラミネート電池２２ａ，２２ｂ，２２ｃが直列接続され、さらに各電池ユニット１ｅ同士が直列接続されている。したがって、電源装置３０では、最上層の電池ユニット１ｅのラミネート電池２２ａの正極が正極端子となり、最下層の電池ユニット１ｅのラミネート電池２２ｃの負極が負極端子となる。
【００６４】
（第４の実施形態）
本実施形態に係る電源装置は、複数の電池ユニットが互いに積層されて構成されており、以下に説明する電池ユニットの構成以外が第１の実施形態に係る電源装置１０と同様に構成されている。このため、本実施形態では電池ユニットについてのみ説明する。図１２は第４の実施形態に係る電池ユニットを示す平面図である。
【００６５】
第４の実施形態に係る電池ユニットは、トレイに積載されるラミネート電池の配置状態を特徴としている。
【００６６】
図１２に示すように、第４の実施形態に係る電池ユニットは、複数のラミネート電池３２（３２ａ，３２ｂ，３２ｃ，３２ｄ）と、複数のラミネート電池３２が載せられるトレイ３３と、複数のラミネート電池３２を電気的に接続する複数のバスバー３４ａ，３４ｂ，３４ｃ，３４ｄ，３４ｅと、を備えている。トレイ３３は、上述した実施形態と同様に、複数のラミネート電池３２が載せられた別のトレイ３３に積層可能に構成されている。
【００６７】
そして、図１２に示すように、本実施形態におけるラミネート電池３２には、外周部に、ラミネート電池３２の内部で生じた圧力を外部に開放する圧力開放部としてのガス放出部３５が形成されている。ガス放出部３５は、ラミネート電池３２を構成するラミネートフィルムの外周部の溶着部に形成された放出孔を有しており、ラミネート電池３２の内部から、所定の圧力が加わったときに放出孔からラミネートフィルムが破れるように形成されている。このようにガス放出部３５が形成されることで、ラミネート電池３２の内圧が異常に上昇したときに、ガス放出部３５から内部の高圧ガスを外部に放出することが可能にされている。
【００６８】
このようにガス放出部を有する複数のラミネート電池を１つのトレイ上に配置する場合には、ラミネート電池のガス放出部からガスが放出される位置に、別のラミネート電池が配置されていないことが望ましい。すなわち、ラミネート電池のガス放出部に隣接する位置に別のラミネート電池が配置されていた場合、ガス放出部から放出されたガスの熱によって、隣接する別のラミネート電池も次々に加熱されてガス放出部からガスを放出することになり、いわゆる誘爆の現象が発生するおそれがある。
【００６９】
そこで、本実施形態に係る電池ユニットのトレイ３３には、図１２に示すように、複数のラミネート電池３２のそれぞれのガス放出部３５がトレイ３３の外周部に隣接するように、複数のラミネート電池３２が配置されている。また、本実施形態における複数のラミネート電池３２ａ，３２ｂ，３２ｃ，３２ｄは、バスバー３４ａ，３４ｂ，３４ｃ，３４ｄ，３４ｅによって直列接続されている。このように複数のラミネート電池３２が配置されることで、ガス放出部３５から放出されたガスの熱によって別のラミネート電池３２が誘爆するのを防ぐことができる。
【００７０】
また、図示しないが、トレイ３３には、ラミネート電池３２のガス放出部３５の近傍に、例えばヒートシンク等の冷却構造体が形成されていてもよく、ラミネート電池３２から放出されたガスで加熱されたトレイ３３を冷却構造体によって冷却することができる。また、トレイ３３には、ラミネート電池３２のガス放出部３５の近傍に、ガス放出部３５から漏れた液体を吸収するシート材が配置されてもよい。
【００７１】
上述したように、第４の実施形態に係る電源装置を構成する電池ユニットによれば、任意のラミネート電池３２のガス放出部３５から高圧ガスが外部に放出されたときに、この高圧ガスの熱によって別のラミネート電池３２が加熱されることが避けられる。このため、本実施形態は、複数のラミネート電池３２の各ガス放出部３５がトレイ３３の外周部に隣接して配置されていることによって、電池ユニット及び電源装置の安全性を向上することができる。
【００７２】
なお、第４の実施形態におけるラミネート電池としては、ガス放出部が外周部の長辺方向の中央部に配置されたて構成されたラミネート電池が用いられたが、必要に応じて、ガス放出部が例えば外周部の短辺方向の中央部に配置されたラミネート電池が用いられてもよい。この場合、例えば複数のラミネート電池が長辺方向を互いに隣接するように配置されるとともに、隣接するラミネート電池のガス放出部が、トレイの対向する一対の外周部にそれぞれ隣接するように、複数のラミネート電池が配置されるのが好ましい。
【００７３】
また、第４の実施形態では、４つのラミネート電池３２が配置される構成にされたが、ラミネート電池の配列を限定したり、ラミネート電池の個数を偶数に限定したりするものではなく、必要に応じて適宜変更されてもよいことは勿論である。
【符号の説明】
【００７４】
１  電池ユニット
１０  電源装置
３２（３２ａ，３２ｂ，３２ｃ，３２ｄ）  ラミネート電池
３３  トレイ
３４ａ，３４ｂ，３４ｃ，３４ｄ，３４ｅ  バスバー
３５  ガス放出部
【図１Ａ】
0005618356.tif 000002
【図１Ｂ】
0005618356.tif 000003
【図２Ａ】
0005618356.tif 000004
【図２Ｂ】
0005618356.tif 000005
【図３Ａ】
0005618356.tif 000006
【図３Ｂ】
0005618356.tif 000007
【図４Ａ】
0005618356.tif 000008
【図４Ｂ】
0005618356.tif 000009
【図５Ａ】
0005618356.tif 000010
【図５Ｂ】
0005618356.tif 000011
【図６】
0005618356.tif 000012
【図７】
0005618356.tif 000013
【図８Ａ】
0005618356.tif 000014
【図８Ｂ】
0005618356.tif 000015
【図９】
0005618356.tif 000016
【図１０】
0005618356.tif 000017
【図１１】
0005618356.tif 000018
【図１２】
0005618356.tif 000019